(57)【要約】【課題】高電圧、直流に対応したコネクタを提供する。【解決手段】他のコネクタと嵌合して電気的に接続されるコネクタにおいて、前記他のコネクタと接触する第１のコンタクトと、前記他のコネクタと前記第１のコンタクトよりも前記他のコンタクトと近い位置で接触する第２のコンタクトと、を有し、前記第１のコンタクトの抵抗値よりも前記第２のコンタクトの抵抗値のほうが高く、前記コネクタと前記他のコネクタとが接触している状態においては、前記他のコネクタは、前記第１のコンタクトと前記第２のコンタクトとに接触しており、前記コネクタより前記他のコネクタを離す際には、前記他のコネクタが前記コネクタから前記第１のコンタクト、前記第２のコンタクトの順で離れることを特徴とするコネクタを提供することにより上記課題を解決する。【選択図】  図１
2016103429.tif 000002
【特許請求の範囲】
【請求項１】
他のコネクタと嵌合して電気的に接続されるコネクタにおいて、
前記他のコネクタと接触する第１のコンタクトと、
前記他のコネクタと前記第１のコンタクトよりも前記他のコンタクトと近い位置で接触する第２のコンタクトと、
を有し、
前記第１のコンタクトの抵抗値よりも前記第２のコンタクトの抵抗値のほうが高く、
前記コネクタと前記他のコネクタとが接触している状態においては、前記他のコネクタは、前記第１のコンタクトと前記第２のコンタクトとに接触しており、
前記コネクタより前記他のコネクタを離す際には、前記他のコネクタが前記コネクタから前記第１のコンタクト、前記第２のコンタクトの順で離れることを特徴とするコネクタ。
【請求項２】
前記第２のコンタクトには、抵抗が接続されていることを特徴とする、請求項１に記載のコネクタ。
【請求項３】
前記他のコネクタと接触する第３のコンタクトを更に備え、
前記第２のコンタクトの抵抗値よりも前記第３のコンタクトの抵抗値のほうが高く、
前記他のコネクタと前記コネクタとが接触している状態においては、前記他のコネクタは、前記第１のコンタクト、前記第２のコンタクト、前記第３のコンタクトの全てと接触しており、
前記他のコネクタより前記コネクタを離す際には、前記他のコネクタが前記コネクタから前記第１のコンタクト、前記第２のコンタクト、前記第３のコンタクトの順で離れることを特徴とする、請求項１または２に記載のコネクタ。
【請求項４】
他のコネクタと電気的に接続されるコネクタにおいて、
前記他のコネクタと接触する第１の金属板、第２の金属板と、
前記第１の金属板と前記第２の金属板との間に設けられており、一方が前記第１の金属板に接続されており、他方が前記第２の金属板に接続されている抵抗と、
を有し、
前記コネクタと前記他のコネクタとが接触している状態では、前記他のコネクタは前記第１の金属板と接触しており、
前記コネクタより前記他のコネクタが離れる際には、前記他のコネクタは、まず前記第１の金属板から離れて前記第２の金属板と接触し、次いで前記第２の金属板から離れることを特徴とするコネクタ。
【請求項５】
前記他のコネクタと接触する第３の金属板と、
前記第２の金属板と前記第３の金属板との間に設けられており、一方が前記第２の金属板に接続され、他方が前記第３の金属板に接続される第２の抵抗と、
を更に有し、
前記コネクタより前記他のコネクタが離れる際には、前記他のコネクタは、まず前記第１の金属板から離れて前記第２の金属板と接触し、更に、前記第２の金属板から離れて前記第３の金属板と接触し、更に、前記第３の金属板から離れることを特徴とする請求項４に記載のコネクタ。
【請求項６】
他のコネクタと嵌合により電気的に接続されるコネクタにおいて、
前記コネクタと接触する複数の金属板を有するコンタクトと、
互いに隣り合う金属板を接続する抵抗と、
を有し、
前記他のコネクタと前記コネクタとが接触している状態においては、前記他のコネクタは、前記コンタクトに設けられた複数の金属板のうち前記他のコネクタから最も離れた位置にある金属板と接触し、
前記他のコネクタを前記コネクタから抜く際は、前記他のコネクタは順次、接触している金属板から離れるとともに、前記接触している金属板よりも前記他のコネクタに近い位置に配置されている金属板と接触することを特徴とするコネクタ。
【発明の詳細な説明】
【技術分野】
【０００１】
本発明は、コネクタに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
ところで、電気機器に供給される電力に関しては、電圧が高いと人体に影響を及ぼす場合や、電子部品の動作に影響を与える場合がある。このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００５】
【特許文献１】実公平６−４１３５０号公報
【発明の概要】
【発明が解決しようとする課題】
【０００６】
このため、電源から供給される電圧が１００Ｖ以上の場合、または、高電圧で直流である場合、例えば、電源から供給される電力が直流４００Ｖの場合等では、現在の交流１００Ｖに用いられているコネクタでは、十分な安全性や信頼性が確保されていないため、そのまま使用することは危険である。
【０００７】
よって、本発明は、上記に鑑みてなされたものであり、高電圧の電力を安全に供給することが可能なコネクタを提供することを目的とするものである。
【課題を解決するための手段】
【０００８】
本実施の形態の一観点によれば、他のコネクタと嵌合して電気的に接続されるコネクタにおいて、前記他のコネクタと接触する第１のコンタクトと、前記他のコネクタと前記第１のコンタクトよりも前記他のコンタクトと近い位置で接触する第２のコンタクトと、を有し、前記第１のコンタクトの抵抗値よりも前記第２のコンタクトの抵抗値のほうが高く、前記コネクタと前記他のコネクタとが接触している状態においては、前記他のコネクタは、前記第１のコンタクトと前記第２のコンタクトとに接触しており、前記コネクタより前記他のコネクタを離す際には、前記他のコネクタが前記コネクタから前記第１のコンタクト、前記第２のコンタクトの順で離れることを特徴とする。
【発明の効果】
【０００９】
本発明によれば、現状の商用電源の電圧よりも高い電圧の電源、または、直流電源に対応したコネクタであって、これらの電源からの電力を安全に供給することが可能なコネクタを提供することができる。
【図面の簡単な説明】
【００１０】
【図１】第１の実施の形態におけるジャックコンタクトの斜視図
【図２】第１の実施の形態におけるジャックコンタクトの側面図
【図３】第１の実施の形態におけるプラグコンタクトの斜視図
【図４】第１の実施の形態におけるプラグコンタクトの側面図
【図５】第１の実施の形態におけるコネクタの説明図
【図６】第１の実施の形態におけるジャックコンタクトよりプラグコンタクトを引き抜く場合の説明図（１）
【図７】第１の実施の形態におけるジャックコンタクトよりプラグコンタクトを引き抜く場合の説明図（２）
【図８】第１の実施の形態におけるジャックコンタクトよりプラグコンタクトを引き抜く場合の説明図（３）
【図９】第１の実施の形態におけるジャックコンタクトよりプラグコンタクトを引き抜く場合の説明図（４）
【図１０】第２の実施の形態におけるジャックコンタクト及びプラグコンタクトの斜視図
【図１１】第２の実施の形態におけるジャックコンタクト及びプラグコンタクトの上面図
【図１２】第２の実施の形態におけるジャックコンタクト及びプラグコンタクトの側面図
【図１３】第２の実施の形態におけるプラグコンタクトの説明図
【図１４】第２の実施の形態におけるコネクタの説明図
【図１５】第２の実施の形態におけるプラグコンタクトをジャックコンタクトより引き抜く場合の説明図（１）
【図１６】第２の実施の形態におけるプラグコンタクトをジャックコンタクトより引き抜く場合の説明図（２）
【図１７】第２の実施の形態におけるプラグコンタクトをジャックコンタクトより引き抜く場合の説明図（３）
【図１８】第２の実施の形態におけるプラグコンタクトをジャックコンタクトより引き抜く場合の説明図（４）
【図１９】第２の実施の形態におけるプラグコンタクトをジャックコンタクトより引き抜く場合の説明図（５）
【発明を実施するための形態】
【００１１】
本発明を実施するための形態について、以下に説明する。尚、同じ部材等については、同一の符号を付して説明を省略する。
【００１２】
〔第１の実施の形態〕
第１の実施の形態におけるコネクタについて説明する。本実施の形態におけるコネクタは、図１及び図２に示されるようなジャックコンタクト１００を含むジャックコネクタである。本実施の形態におけるコネクタは、図３及び図４に示される板状のプラグコンタクト２００を含むプラグコネクタと嵌合し電気的に接続される。ジャックコンタクト１００の周囲は、樹脂材料等の絶縁体により形成された不図示の筐体により覆われており、ジャックコンタクト１００にプラグコンタクトが嵌合する部分には開口部が設けられている。ジャックコンタクトはまた、不図示の電源ケーブルと接続されている。プラグコネクタは、プラグコンタクト２００が金属材料等により形成されており、プラグコンタクト２００を除き絶縁体により形成された不図示の筐体により覆われており、不図示の電源ケーブルと接続されている。本実施の形態においては、ジャックコンタクト１００またはプラグコンタクト２００のうちのいずれか一方が不図示の電源に接続されており、他方が不図示の電子機器等に接続されている。尚、図１は本実施の形態によるジャックコンタクト１００の斜視図であり、図２は側面図である。また、図３は本実施の形態によるプラグコンタクト２００の斜視図であり、図４は側面図である。尚、プラグコンタクト２００は、銅等を含む金属材料により板状に形成されている。
【００１３】
本実施の形態におけるジャックコンタクト１００は、図１及び図２に示されるように、第１のジャック部１１０、第２のジャック部１２０、第３のジャック部１３０等を有している。
【００１４】
第１のジャック部１１０は、銅等を含む金属材料により形成されており、プラグコンタクト２００が入り込むことができるように、コの字状に形成された第１のジャックコンタクト部１１１を有している。第１のジャックコンタクト部１１１には、プラグコンタクト２００が入り込む端部近傍にプラグコンタクト２００と接触する第１の接触部１１２が設けられている。第１のジャックコンタクト部１１１は第１のジャック端子部１１３が接続されている。第１のジャック端子部１１３は、後述する第２のジャック端子部１２３及び第３のジャック端子部１３３と接続されている。よって、第１のジャック端子部１１３、第２のジャック端子部１２３及び第３のジャック端子部１３３は同電位となっている。
【００１５】
第２のジャック部１２０は、銅等を含む金属材料により形成されており、プラグコンタクト２００が入り込むことができるように、コの字状に形成された第２のジャックコンタクト部１２１を有している。第２のジャックコンタクト部１２１は、プラグコンタクト２００が入り込む端部近傍にプラグコンタクト２００と接触する第２の接触部１２２が設けられている。第２のジャックコンタクト部１２１は、第１のジャックコンタクト部１１１を覆うように形成されており、第１のジャックコンタクト部１１１の外側に、プラグコンタクト２００と接触する第２の接触部１２２が形成されている。また、第２のジャックコンタクト部１２１と第２のジャック端子部１２３との間には、第１の抵抗１４０が設けられている。
【００１６】
第３のジャック部１３０は、銅等を含む金属材料により形成されており、プラグコンタクト２００が入り込むことができるように、コの字状に形成された第３のジャックコンタクト部１３１を有している。第３のジャックコンタクト部１３１は、プラグコンタクト２００が入り込む端部近傍において、プラグコンタクト２００と接触する第３の接触部１３２が設けられている。第３のジャックコンタクト部１３１は、第２のジャックコンタクト部１２１を覆うように形成されており、第２のジャックコンタクト部１２１の外側に、プラグコンタクト２００と接触する第３の接触部１３２が形成されている。また、第３のジャックコンタクト部１３１と第３のジャック端子部１３３との間には、第２の抵抗１５０が設けられている。
【００１７】
本実施の形態においては、第２の抵抗１５０の抵抗値は、第１の抵抗１４０の抵抗値よりも高くなるように形成されている。例えば、電源電圧が４００Ｖの場合、流れる電流が１Ａ以下であればアークは発生しないと考えられるため、第２の抵抗１５０の抵抗値は４００Ω以上であることが好ましい。
【００１８】
尚、本実施の形態におけるコネクタでは、図５に示されるように、ジャックコンタクト１００は正と負に対応して計２つ設けられている。同様に、ジャックコンタクト１００と電気的に接続されるプラグコンタクト２００も、正と負に対応して２つ設けられている。
【００１９】
（コネクタの取り外し）
次に、本実施の形態におけるジャックコネクタよりプラグコネクタを外す場合について説明する。尚、本実施の形態においては、第１のジャック端子部１１３、第２のジャック端子部１２３、第３のジャック端子部１３３は相互に接続されており、更に、これらが高電圧電源、例えば、＋４００Ｖの直流電源に接続されているものとする。
【００２０】
図６は、本実施の形態におけるジャックコンタクト１００とプラグコンタクト２００とが嵌合しており、ジャックコンタクト１００及びプラグコンタクト２００を介し電力の供給がなされている状態を示す。図６の状態においては、プラグコンタクト２００は、第１の接触部１１２、第２の接触部１２２、第３の接触部１３２のすべてと接触している。また、上述のとおり、第２のジャックコンタクト部１２１と第２のジャック端子部１２３との間には第１の抵抗１４０が設けられており、第３のジャックコンタクト部１３１と第３のジャック端子部１３３との間には第２の抵抗１５０が設けられている。しかしながら、第１のジャックコンタクト部１１１と第１のジャック端子部１１３との間には抵抗は設けられていない。よって、ジャックコンタクト１００からプラグコンタクト２００に流れる電流は、抵抗が最も低い電流経路となる第１のジャック部１１０を介する電流経路を最も多く流れる。即ち、電流の多くは第１のジャック端子部１１３より第１のジャックコンタクト部１１１及び第１の接触部１１２を介してプラグコンタクト２００に流れるが、第２の接触部１２２及び第３の接触部１３２を介しても流すことはできる。
【００２１】
次に、図７に示すように、ジャックコンタクト１００よりプラグコンタクト２００を少し引き抜く。これにより、プラグコンタクト２００は、第２の接触部１２２、第３の接触部１３２と接触しているが、第１の接触部１１２とは接触していない状態となる。よって、図７の状態においては、第１のジャック部１１０を介して電流が流れない。
【００２２】
尚、本実施の形態においては、第２の抵抗１５０よりも第１の抵抗１４０の抵抗値の方が低いため、図７の状態においては、ジャックコンタクト１００からプラグコンタクト２００に流れる電流は、より抵抗が低い電流経路となる第２のジャック部１２０を介する電流経路を最も多く流れる。即ち、電流の多くは第２のジャック端子部１２３より、第１の抵抗１４０、第２のジャックコンタクト部１２１及び第２の接触部１２２を介し、プラグコンタクト２００に流れる。よって、第１の接触部１１２とプラグコンタクト２００との接触が離れても、プラグコンタクト２００には第１の抵抗１４０及び第２のジャックコンタクト部１２１を介し電流が流れるため、アークが発生することはない。尚、図７に示す状態においてコネクタ間に流れる電流は、第１の抵抗１４０等により制限を受けているため、図６に示されるプラグコンタクト２００と第１の接触部１１２とが接触している状態よりも減少する。
【００２３】
次に、図８に示すように、本実施の形態におけるジャックコンタクト１００よりプラグコンタクト２００を更に引き抜く。これにより、プラグコンタクト２００は、第３の接触部１３２と接触しているが、第１の接触部１１２、第２の接触部１２２とは接触していない状態となる。よって、この状態においては、第１のジャック部１１０及び第２のジャック部１２０を介して電流が流れることはない。
【００２４】
図８の状態においては、ジャックコンタクト１００からプラグコンタクト２００に流れる電流は、プラグコンタクト２００と接触している第３のジャック部１３０を介して流れる。即ち、第３のジャック端子部１３３より、第２の抵抗１５０を介し、第３のジャックコンタクト部１３１における第３の接触部１３２より、プラグコンタクト２００に流れる。よって、第２の接触部１２２とプラグコンタクト２００との接触が離れても、プラグコンタクト２００には第２の抵抗１５０及び第３のジャックコンタクト部１３１を介し電流が流れるため、アークが発生することはない。尚、図８に示す状態において流れる電流は、第２の抵抗１５０により制限を受けているため、図７に示されるプラグコンタクト２００と第２の接触部１２２とが接触している状態よりも減少する。
【００２５】
次に、図９に示すように、本実施の形態におけるジャックコンタクト１００よりプラグコンタクト２００を更に引き抜く。これにより、プラグコンタクト２００は、第１の接触部１１２、第２の接触部１２２及び第３の接触部１３２のすべてと接触していない状態となる。よって、図９の状態においては、第１のジャック部１１０、第２のジャック部１２０、第３のジャック部１３０を介して電流が流れることはない。
【００２６】
プラグコンタクト２００が第３の接触部１３２と接触している状態においては、第２の抵抗１５０の抵抗値が４００Ω以上である場合、コネクタ間を流れる電流は１Ａ以下である。よって、この場合、流れる電流が低いため、プラグコンタクト２００が第３の接触部１３２と離れる際には、プラグコンタクト２００と第３の接触部１３２との間においてアークが発生することはない。
【００２７】
以上より、本実施の形態におけるコネクタであるジャックコンタクト１００より、プラグコンタクト２００を引き抜く際に、アークの発生を防ぐことができる。
【００２８】
〔第２の実施の形態〕
次に、第２の実施の形態におけるコネクタについて説明する。本実施の形態におけるコネクタは、図１０から図１３に示される構造のプラグコンタクト３００を含むプラグコネクタであり、プラグコンタクト３００における嵌合部分を除き絶縁体により形成された不図示の筐体により覆われており、不図示の電源ケーブルと接続されている。本実施の形態におけるコネクタは、ジャックコンタクト４００を含むジャックコネクタと嵌合し電気的に接続されるコネクタである。このジャックコネクタは、ジャックコンタクト４００の周囲が、樹脂材料等の絶縁体により形成された不図示の筐体により覆われている。ジャックコンタクト４００における嵌合部分には開口部が設けられており、不図示の電源ケーブルと接続されている。本実施の形態においては、ジャックコンタクト４００またはプラグコンタクト３００における第１の金属板３１１のうちのいずれか一方が不図示の電源に接続されており、他方が不図示の電子機器等に接続されている。尚、図１０は本実施の形態におけるプラグコンタクト３００及びジャックコンタクト４００の斜視図であり、図１１は上面図であり、図１２は側面図である。
【００２９】
本実施の形態におけるプラグコンタクト３００は、図１３に示されるように、複数の分割された金属板３１０と第１の抵抗３２１、第２の抵抗３２２、第３の抵抗３２３とを有している。
【００３０】
上述したように、金属板３１０は分割されており、第１の金属板３１１、第２の金属板３１２、第３の金属板３１３、第４の金属板３１４を有する。これらの分割された金属板は、接続されるジャックコンタクト４００から離れた側より、第１の金属板３１１、第２の金属板３１２、第３の金属板３１３、第４の金属板３１４の順となるように、互いに僅かな隙間を設けて配置されている。尚、第１の金属板３１１、第２の金属板３１２、第３の金属板３１３、第４の金属板３１４は、銅等を含む金属材料により形成されている。
【００３１】
複数の分割された金属板３１０は、第１の抵抗３２１、第２の抵抗３２２、第３の抵抗３２３が接続された状態で樹脂材料やセラミックス等の絶縁体により形成された絶縁体部３３０に入れられている。複数の分割された金属板３１０には、一方の面が絶縁体部３３０に覆われ、他方の面が露出するように形成されている。尚、プラグコンタクトは、プリント基板の一方の面に導電配線等により第１の金属板３１１、第２の金属板３１２、第３の金属板３１３、第４の金属板３１４に相当するものを形成し、プラグコンタクトの形状となるように加工したものであってもよい。
【００３２】
図１３に示されるように、本実施の形態では、金属板３１０の一方の面において、第１の抵抗３２１は第１の金属板３１１と第２の金属板３１２との間に設置されており、第１の抵抗３２１における一方の端子が第１の金属板３１１の一方の面と接続されており、他方の端子が第２の金属板３１２の一方の面と接続されている。第２の抵抗３２２は第２の金属板３１２と第３の金属板３１３との間に設置されており、第２の抵抗３２２における一方の端子が第２の金属板３１２の一方の面と接続されており、他方の端子が第３の金属板３１３の一方の面と接続されている。第３の抵抗３２３は第３の金属板３１３と第４の金属板３１４との間に設置されており、第３の抵抗３２３における一方の端子が第３の金属板３１３の一方の面と接続されており、他方の端子が第４の金属板３１４の一方の面と接続されている。第１の抵抗３２１、第２の抵抗３２２、第３の抵抗３２３はそれぞれ、金属板３１０の一方の面側に取り付けられている。金属板は、図１２に示すようにこれらの抵抗の取り付けられる面が絶縁体部の内側に来るように絶縁体部に取り付けられ、金属板の他方の面（図１２図示の上面）側はほぼ面一になっている。
【００３３】
ジャックコンタクト４００は銅等を含む金属材料により形成されており、プラグコンタクト３００が入り込むことができるようにコの字状に形成されたジャックコンタクト部４１１を有している。ジャックコンタクト部４１１は、プラグコンタクト３００が入り込む端部近傍に、プラグコンタクト３００と接触する接触部４１２が設けられている。
【００３４】
例えば、電源電圧が４００Ｖの場合、流れる電流が１Ａ以下であればアークは発生しないため、本実施の形態においては、第１の抵抗３２１、第２の抵抗３２２、第３の抵抗３２３における直列の合成抵抗の抵抗値は、４００Ω以上であることが好ましい。
【００３５】
また、プラグコンタクト３００においては、第１の金属板３１１と第２の金属板３１２との間の隙間、第２の金属板３１２と第３の金属板３１３との間の隙間、第３の金属板３１３と第４の金属板３１４との間の隙間は、嵌合方向に垂直な方向に対し斜めとなるように形成されている。これにより、プラグコンタクト３００がジャックコンタクト４００より外される際、第１の金属板３１１と第２の金属板３１２との間の隙間の近傍においては、ジャックコンタクト４００の接触部４１２は、第１の金属板３１１と第２の金属板３１２の双方に接触する。詳細に説明すると、ジャックコンタクト４００の移動に伴い、接触部４１２が第１の金属板３１１のみに接触した状態から第１の金属板３１１と第２の金属板３１２の双方に接触する状態となり、双方の金属板に接触した状態をしばらく維持した後に第２の金属板３１２のみに接触した状態となる。従って、接触部４１２が第１の金属板３１１と第２の金属板３１２との双方と接触していない状態が発生しないため、ジャックコンタクト４００とプラグコンタクト３００との間に流れる電流が遮断されることによるアークの発生を抑えることができる。同様に、第２の金属板３１２と第３の金属板３１３との間の隙間の近傍においては、ジャックコンタクト４００の接触部４１２は第２の金属板３１２と第３の金属板３１３の双方に接触する。また、第３の金属板３１３と第４の金属板３１４との間の隙間の近傍においては、ジャックコンタクト４００の接触部４１２は第３の金属板３１３と第４の金属板３１４の双方に接触する。従って、ジャックコンタクト４００よりプラグコンタクト３００がひき抜かれる際においても、電流が突然遮断されることなく、これらの隙間においては電流は徐々に減少する。
【００３６】
尚、本実施の形態におけるコネクタを用いて電力等を供給する際には、図１４に示されるように、プラグコンタクト３００は、正と負に対応して２つ設けられており、同様に、ジャックコンタクト４００も、正と負に対応して２つ設けられている。
【００３７】
（コネクタの取り外し）
次に、本実施の形態におけるプラグコネクタをジャックコネクタより外す場合について説明する。尚、本実施の形態においては、ジャックコンタクト４００が、高電圧電源、例えば、＋４００Ｖの直流電源に接続されているものとする。
【００３８】
図１５は、本実施の形態におけるプラグコンタクト３００とジャックコンタクト４００とが嵌合しており、プラグコンタクト３００及びジャックコンタクト４００を介し電力の供給がなされている状態を示す。図１５の状態では、ジャックコンタクト４００の接触部４１２は、プラグコンタクト３００の第１の金属板３１１と接触している。このため、図１５の状態では第１の金属板３１１を介して電流が流れるため、第１の抵抗３２１、第２の抵抗３２２、第３の抵抗３２３等の抵抗を介することなくジャックコンタクト４００から電流が流れる。尚、図１５（ａ）は、この状態におけるプラグコンタクト３００及びジャックコンタクト４００の上面図であり、図１５（ｂ）は、側面図である。
【００３９】
次に、図１６に示すように、ジャックコンタクト４００よりプラグコンタクト３００を少し引き抜く。これにより、ジャックコンタクト４００の接触部４１２は、プラグコンタクト３００の第２の金属板３１２と接触している状態となる。この状態においては、電流はプラグコンタクト３００、第１の金属板３１１、第１の抵抗３２１、第２の金属板３１２を介して流れる。よって、第１の抵抗３２１により電流制限がなされた電流が流れる。このため、図１６の状態では、図１５に示す状態よりも、プラグコンタクト３００とジャックコンタクト４００との間を流れる電流は少なくなる。尚、図１６（ａ）は、この状態におけるプラグコンタクト３００及びジャックコンタクト４００の上面図であり、図１６（ｂ）は、側面図である。
【００４０】
次に、図１７に示すように、ジャックコンタクト４００よりプラグコンタクト３００を更に少し引き抜く。これにより、接触部４１２は、第３の金属板３１３と接触している状態となる。この状態においては、電流はプラグコンタクト３００、第１の金属板３１１、第１の抵抗３２１、第２の金属板３１２、第２の抵抗３２２、第３の金属板３１３を介して流れる。よって、プラグコンタクト３００とジャックコンタクト４００との間では、第１の抵抗３２１及び第２の抵抗３２２により電流制限がなされた電流が流れる。第１の抵抗と第２の抵抗とを合わせた抵抗値は第１の抵抗の抵抗値よりも高いため、図１７の状態においては、図１６に示す状態よりも、プラグコンタクト３００とジャックコンタクト４００との間に流れる電流は少なくなる。尚、図１７（ａ）は、この状態におけるプラグコンタクト３００及びジャックコンタクト４００の上面図であり、図１７（ｂ）は、側面図である。
【００４１】
次に、図１８に示すように、ジャックコンタクト４００より本実施の形態におけるプラグコンタクト３００を更に引き抜く。これにより、接触部４１２は第４の金属板３１４と接触している状態となる。この状態においては、本実施の形態におけるプラグコンタクト３００において流れる電流は、第１の金属板３１１、第１の抵抗３２１、第２の金属板３１２、第２の抵抗３２２、第３の金属板３１３、第３の抵抗３２３、第４の金属板３１４を介して流れる。よって、プラグコンタクト３００とジャックコンタクト４００との間では、第１の抵抗３２１、第２の抵抗３２２及び第３の抵抗３２３により電流制限がなされた電流が流れる。第１の抵抗乃至第３の抵抗の合成抵抗値は第１の抵抗と第２の抵抗との合成抵抗値よりも高いため、図１８の状態においては、図１７に示す状態よりも、プラグコンタクト３００とジャックコンタクト４００との間において流れる電流は少なくなる。尚、図１８（ａ）は、この状態におけるプラグコンタクト３００及びジャックコンタクト４００の上面図であり、図１８（ｂ）は、側面図である。
【００４２】
次に、図１９に示すように、ジャックコンタクト４００よりプラグコンタクト３００を更に引き抜く。これにより、接触部４１２はプラグコンタクト３００とは接触していない状態となり、プラグコンタクト３００とジャックコンタクト４００との間において電流は流れない。尚、図１９（ａ）は、この状態におけるプラグコンタクト３００及びジャックコンタクト４００の上面図であり、図１９（ｂ）は、側面図である。
【００４３】
ジャックコンタクト４００の接触部４１２がプラグコンタクト３００の第４の金属板３１４と接触している状態においては、電流は第１の抵抗３２１、第２の抵抗３２２、第３の抵抗３２３を介して流れる。第１の抵抗３２１、第２の抵抗３２２、第３の抵抗３２３を直列に接続した合成抵抗の抵抗値が４００Ω以上であれば、流れる電流は１Ａ以下である。よって、この場合においては、流れる電流が低いため、接触部４１２が第４の金属板３１４と離れる際に、ジャックコンタクト４００における接触部４１２とプラグコンタクト３００における第４の金属板３１４との間においてアークが発生することはない。
【００４４】
このように、本発明の実施の形態は、複数コンタクトを一方のコネクタに設け、一方のコネクタと他方のコネクタとのコンタクト同士の接触位置が他方のコネクタに近くなるに従ってコンタクトの抵抗値が大きくなるように構成している。このような構成により、一方のコネクタから他方のコネクタを引き抜くときに、他方のコネクタのコンタクトが一方のコネクタのあるコンタクトに接触している状態で一方のコネクタの抵抗値の高い他のコンタクトに他方コネクタのコンタクトを接触させ、その後当初接触していた一方のコネクタのあるコンタクトから他方のコネクタのコンタクトを離すようにしている。そのため、最終的に他方のコネクタのコンタクトから離れる一方コネクタのコンタクトの抵抗値を十分高くしてコンタクトに流れる電流を小さくすることで、アーク発生を抑制している。なお、上記では、複数コンタクトを設ける態様として、それぞれ抵抗値の異なるコンタクトを複数設ける形態や、複数の金属板を抵抗で接続する形態を説明したが、複数コンタクトを設ける態様はこれらには限らない。
【００４５】
以上、本発明の実施に係る形態について説明したが、上記内容は、発明の内容を限定するものではない。
【符号の説明】
【００４６】
１００      ジャックコンタクト
１１０      第１のジャック部
１１１      第１のジャックコンタクト部
１１２      第１の接触部
１１３      第１のジャック端子部
１２０      第２のジャック部
１２１      第２のジャックコンタクト部
１２２      第２の接触部
１２３      第２のジャック端子部
１３０      第３のジャック部
１３１      第３のジャックコンタクト部
１３２      第３の接触部
１３３      第３のジャック端子部
１４０      第１の抵抗
１５０      第２の抵抗
２００      プラグコンタクト
【図１】
2016103429.tif 000003
【図２】
2016103429.tif 000004
【図３】
2016103429.tif 000005
【図４】
2016103429.tif 000006
【図５】
2016103429.tif 000007
【図６】
2016103429.tif 000008
【図７】
2016103429.tif 000009
【図８】
2016103429.tif 000010
【図９】
2016103429.tif 000011
【図１０】
2016103429.tif 000012
【図１１】
2016103429.tif 000013
【図１２】
2016103429.tif 000014
【図１３】
2016103429.tif 000015
【図１４】
2016103429.tif 000016
【図１５】
2016103429.tif 000017
【図１６】
2016103429.tif 000018
【図１７】
2016103429.tif 000019
【図１８】
2016103429.tif 000020
【図１９】
2016103429.tif 000021